(57)【要約】【課題】  本考案は、主に抗がん剤治療等によって頭髪が脱毛になった患者が、屋内や浴室での日常使用や、就寝、点滴中など臥床中などでの終日着用を目的としたヘヤーキャップを提供する。【解決手段】  本考案のヘヤーキャップは、綿のパイル織り素材地を用いている。頭部の形状に沿った最短の縫い目で縫製している。両側頭部に下部縁から約３センチメートルの位置から縦に折り重ねをもうけその裏面にゴムからなる伸縮材を縫着している。下部外周縁を折り返し、見ごろをつけている。【選択図】      図１
0003116796.tif 000002
【実用新案登録請求の範囲】
【請求項１】
綿のパイル織り素材を用い、頭頂部から側頭部と頭頂部から下縁に最小限の縫い合わせをし、側頭部にゴム等の伸縮材を縦に縫い付けて伸縮性とふくらみを持ち、下部外縁部に見ごろをつけ、ひたい部からもみ上げ、襟足までの頭髪部のすべてを覆うことができることを特徴とするヘヤーキャップ。
【考案の詳細な説明】
【技術分野】
【０００１】  本考案は、主に抗がん剤治療等によって頭髪が脱毛になった患者が、屋内や浴室での日常使用や、就寝、点滴中など臥床中での着用を目的としたヘヤーキャップに関するものである。
【背景技術】
【０００２】  抗がん剤治療等により頭髪が脱毛になった患者が、その状態を他人の好奇の目にさらしたくないために、また闘病中である陰鬱な気分を転換するために頭部を覆うために着用するヘヤーキャップは、一般に用いられているシャロット、ターバン、ワッチ、ベレーなどのタイプの帽子をそのまま利用したり、またバスキャップを代用し、あるいは一時的にタオルを巻いて帽子とすることが多い。
これらの帽子は通常の状態の人が着用する場合は、垂れてくる髪の毛の煩わしさから解放されれば実用上十分であった。
しかし、特に抗がん剤治療で脱毛状態の人にとっては、頭髪部のすべてを覆い、着脱が容易でありながら装着性がよく、かつ終日に等しい長時間の使用や就寝中にも使用ができ、また常に清潔である帽子が必要であるが、代用できる既存の帽子にはそれぞれ不備があった。次にその詳細を記す。【０００３】  図４のシャロットタイプの帽子は、中央部を中空にした半球体状の頭覆い部（１）と、下縁部（５）が見ごろ（１０）で構成されており、一見理想的な形に見える。しかし、頭頂部分は頭部の形に沿っているが着用性を高めるために下縁部の外周は伸縮性が強く、そのために着用者の頭部へ負担がかかり、長時間（丸一日）の使用に耐えがたい構造である。
また、脱毛状態を知られたくない患者にとっては、ヘアーラインを自然に隠す構造を備えていない。【０００４】  図５のターバンタイプの帽子は、中央部を中空にした半球体状の頭覆い部（１）で構成されており、インドで用いられているターバンに似たデザイン性を重視した帽子で、厚手の生地を用いて巻いたり重ねたりした面白さを出している。しかし、そのために着脱に手間がかかり、しかも常に立ち姿でなければならず、就寝など臥床時には用いることができない。また清潔を保つための洗濯が容易ではない。【０００５】  図６のワッチタイプの帽子は、中央部を中空にした半球状の頭覆い部（１）で構成されており、毛糸などで編み上げ頭部をすっぽり覆うタイプの帽子である。下縁部（５）を任意の幅に折り返してデザイン性を高めることができ、実用性にすぐれ外出時にも利利用できる構造である。しかし、そのために生地が厚く、頭部をしっかり抱え込んでいるため長時間の連続的な使用には適していない。また、汗の吸収が悪く汚れた場合も簡便な洗濯に適さない欠点がある。【０００６】  図７のベレータイプの帽子は、中央上部を中空にした半球状の頭覆い部（１）と、頂上部と一体で広くせり出したつば（１１）とで構成されており、芸術家などがデザイン的な面白さで用いる帽子である。しかし、頭部の上位に装着するだけの構造であるために、襟足までを覆うことができない。また、容易に脱落するので臥床時には使用は出来ず、さらに形状を保持するために、洗濯は避けなければならない。【０００７】  外出用の帽子の外、浴室などで一時的に用いるビニールを用いたバスキャップや、タオル地を用い、簡単に巻いたタオルキャップを簡便に室内に用いることができる。しかし、これらは、目的が耐水や吸湿機能など限られた用途に適しているので、日常的に室内で用いることには適していない。そのほか脱毛した患者は一時的に手製の帽子を着用していることが多く、不便を強いている。これらのように頭髪が無い人のために考えつくされた帽子は現在みあたらない。
帽子の他に、かつらを使用している患者が多いが、帽子に比べ蒸れるために長時間の使用には適していない。
【考案の開示】
【考案が解決しようとする課題】
【０００８】（イ）抗がん剤治療によって脱毛状態の患者が頭部を覆うヘヤーキャップは、頭部のひたいからもみ上げ、襟足までをすべてをさりげなく覆わなければならない。
（ロ）自宅内であっても日常生活の長時間や就寝時にも着用するために、頭部に締め付け等の負担があってはならず、逆に簡単に脱落してはならない。
（ハ）長時間連続的に着装している状態により、頭部からの多量の汗の吸収が必要であり、またそのヘヤーキャップは日常的に洗濯をし、常に清潔性を保たなければならない。
（ニ）治療中の精神的な不安定を取り除き快適な療養生活を過ごすために、情緒的に安定し病気見舞いの人や家族から見てもおしゃれで実用的なデザイン性が必要である。
【課題を解決するための手段】
【０００９】  本考案のヘヤーキャップは、綿のパイル織り素材地を用いている。デザイン性を重視しながら頭部の形状に沿った最短の縫い目で縫製している。下縁開口部の外周を約３センチメートルで折り返し、見ごろをつけている。両側頭部に下縁から約３センチメートルの位置から縦に折り重ねをもうけその裏面に約６センチメートルの伸縮材を縫着している。
【考案の効果】
【００１０】（イ）本考案のヘヤーキャップは、デザイン性を考慮しながら頭部に沿った形状で最短の縫い合わせをほどこしたことにより、頭髪のヘアーライン（ひたい、もみ上げ、襟足の生え際）を隙間無く自然に覆い、脱毛した頭部に縫い目が接触することを極力少なくし、頭部に負担を少なくしている。
（ロ）両側頭部に折り重ねをしてその裏面に縦に伸縮材を取り付けることにより、側頭部の上下に伸縮性を持たせ、頭部をすっぽり覆いながら装着性を向上させ、また着脱性を容易にしているので、日常の長時間使用に負担がなく、また睡眠や点滴治療など臥床時にも装着のまま使用が可能である。また、この折り重ねはヘヤーキャップとしてのデザイン性を向上し装着者に充足感を与える。
（ハ）下部外周縁に見ごろをつけたことにより、ひたいや襟足の汗をすばやく吸収し、一日中快適に装着することが出来る。また見ごろをさらに折り返すことが容易で、ヘヤーキャップの寸法を変えることができ、頭部の小さい子供でも装着可能で母子でペアーで楽しむことができ、母子との親近感は治療の精神的な安定に寄与する。
（ニ）綿のパイル織り素材地を用いることにより、頭部全体の発汗やひたいや襟足の汗をすばやく吸収し、頭部や頭髪から発する臭いを防ぎ、また日常的な洗濯が容易で、患者に必要な清潔性を常に保つことができる。洗濯が可能であるために繰り返し長期間の使用ができる。
（ホ）これらのことにより、主にがんの治療中の患者が、ストレスを感じることなくリラックスして抗がん剤治療に専念することができ、ゆとりや癒しとして精神的に病気治療に役立つことが期待できる。
【考案を実施するための最良の形態】
【００１１】  本考案のヘヤーキャップの実施の形態を説明する。
（イ）ヘアーキャップ本体は綿のパイル織り素材地からなる。
（ロ）下方を開口し、内部を空洞として半球体状の頭覆い部（１）をもうける。
（ハ）頭頂部（２）から左右の側頭部（３）の中ほどまで山形の縫い目（６）をつける。
（ニ）頭頂部（２）の中心から後頭部（４）の下縁部（５）中心に１本の後頭部の縫い目（７）をつける。
（ホ）側頭部の縫い日（６）の端点位置から、下方に折り重ね（８）をつける。
（ヘ）折り重ね（８）の裏面にゴムを用いた伸縮材（９）を縫い付ける。
（ト）下縁部（５）を上方に折り返して見ごろ（１０）とする。
本考案は、以上の構成よりなっている。
本考案のヘヤーキャップは、脱毛状態の患者が終日着装することにより、本考案で示す効果を発揮することができる。また、綿のパイル織り素材地はタオルに多く用いられているように、吸湿性がよく日常の洗濯が容易であるので、汗を吸ったり汚れた場合には、速やかに洗濯を行うことで常に清潔を保つことができる。洗濯と乾燥の時間帯のために本考案のヘヤーキャップを常時に複数を用意し使用することが、さらに考案の効果をあげることができる。
【図面の簡単な説明】
【００１２】
【図１】  本考案の前面側からの斜視図
【図２】  本考案の後面側からの斜視図
【図３】  本考案を裏返した状態の前面側からの斜視図
【図４】  従来のシャロットタイプの帽子の斜視図
【図５】  従来のターバンタイプの帽子の斜視図
【図６】  従来のワッチタイプの帽子の斜視図
【図７】  従来のベレータイプの帽子の斜視図
【符号の説明】
【００１３】  １    頭覆い部
２    頭頂部
３    側頭部
４    後頭部
５    下縁部
６    側頭部の縫い目
７    後頭部の縫い目
８    折り重ね
９    伸縮材
１０    見ごろ
１１    つば
【図１】
0003116796.tif 000003
【図２】
0003116796.tif 000004
【図３】
0003116796.tif 000005
【図４】
0003116796.tif 000006
【図５】
0003116796.tif 000007
【図６】
0003116796.tif 000008
【図７】
0003116796.tif 000009